(57)【要約】【課題】作業の機械化により、短時間で、大量に、精度良くカメラの鏡筒に保護シートやクッションを貼り付け、レンズ穴に埃や人脂が付着することを防止でき、落下衝撃等のカメラへの衝撃を緩和することができるカメラ、携帯端末装置、治具、自動搭載装置、及び貼り付け方法を提供する。【解決手段】カメラは、レンズ穴３が空けられた鏡筒２を有し、レンズ穴３の径はレンズ１の径より小さく、レンズ穴３の周囲に中央に穴の空いたクッション４をレンズ穴３を塞がないように設けられ、クッション４の穴を塞ぐように保護シート５、７が設けられる。そのようなカメラを携帯端末装置に搭載する。鏡筒２にクッション４と保護シート５を装着するために、治具１０、２０を用い、治具１０、２０は、吸着部１２、２２と、押圧部１１、２１とを有する。治具１０、２０を自動搭載装置３０に取り付け、保護シート５、７とクッション４を鏡筒２に同時に貼り付ける。【選択図】　　　　図２
2004020654.tif 000002
【特許請求の範囲】
【請求項１】
レンズ穴が空けられた鏡筒を有することを特徴とするカメラ。
【請求項２】
レンズ径より小さい径の前記レンズ穴を有することを特徴とするカメラ。
【請求項３】
前記レンズ穴の周囲に中央に穴の空いたクッションを前記レンズ穴を塞がないように設けたことを特徴とする請求項１または２記載のカメラ。
【請求項４】
前記レンズ穴を塞ぐように設けられた保護シートを有することを特徴とする請求項１から３のいずれか１項に記載のカメラ。
【請求項５】
前記クッションの穴を塞ぐように前記保護シートが設けられたことを特徴とする請求項３または４記載のカメラ。
【請求項６】
前記クッションの穴を塞ぐように透明なスクリーンが設けられたことを特徴とする請求項３から５のいずれか１項に記載のカメラ。
【請求項７】
前記保護シートが前記鏡筒のレンズ穴の周囲と構造上接触することを特徴とする請求項４から６のいずれか１項に記載のカメラ。
【請求項８】
請求項１から７のいずれか１項に記載のカメラを有する携帯端末装置。
【請求項９】
請求項４から７のいずれか１項に記載のカメラの前記鏡筒に前記クッションおよび／または前記保護シートを装着することを特徴とする治具であって、該治具は、
前記クッションおよび／または前記保護シートをエア吸着するための吸着部と、
前記クッションおよび／または前記保護シートを前記鏡筒に圧着するための押圧部とを有することを特徴とする治具。
【請求項１０】
前記クッションの断面と同形の断面を有する前記押圧部を有することを特徴とする請求項９記載の治具。
【請求項１１】
前記クッションの接着面と対向する前記押圧部の接着面の少なくとも一部に前記吸着穴を有することを特徴とする請求項９記載の治具。
【請求項１２】
請求項９から１１のいずれか１項に記載の治具を有することを特徴とする自動搭載装置。
【請求項１３】
請求項５から７のいずれか１項に記載の保護シートとクッションを前記カメラの前記鏡筒に同時に貼り付けることを特徴とする貼り付け方法。
【発明の詳細な説明】
【０００１】
【発明の属する技術分野】
本発明は、カメラ、携帯端末装置、治具、自動搭載装置、及び貼り付け方法に関し、特に、鏡筒に保護シートやクッションを備えたカメラ、そのようなカメラを備えた携帯端末装置、保護シートやクッションをカメラ鏡筒に装着するための治具、自動搭載装置、及び貼り付け方法に関する。
【０００２】
【従来の技術】
カメラの組立中、運搬中、使用中に、カメラ鏡筒部のレンズ穴に埃や人脂が付着することがある。特に、携帯電話、ＰＨＳ、ＰＤＡ等の携帯端末装置（以下携帯電話等という。）に搭載されるカメラにおいては、レンズ穴に埃や人脂が付着する機会が多い。また、携帯電話等に搭載される電子カメラは、レンズ穴が小さいので、埃や人脂を肉眼では確認しずらい。よって、携帯電話等のユーザが、レンズ穴に埃や人脂が付着したままカメラを使用するという不都合が生じやすい。
【０００３】
したがって、特に、携帯電話等に搭載される電子カメラにおいては、防塵と汚れの防止のためにレンズ穴に保護カバーないし保護シートを設ける必要性が高い。
【０００４】
そこで、防塵と汚れの防止のためにレンズ穴に保護カバーを設けた装置として、従来、例えば、特開２０００−３３２８７１号公報に記載された携帯映像通信端末装置が知られていた。この装置においては、レンズを保護するカバーが上下摺動自在に取り付けられ、同カバーを上方に摺動して撮影可能な状態にした時でも、透明な窓がカバーとともに上方に移動してカメラのレンズの位置に来るようにすることにより、レンズの汚れや傷つきの防止を図られている。
【０００５】
また、特開２００１−３０９００３号公報には、カメラに保護カバーを設け、利用者がカメラを使用する時は保護カバーをスライドしてレンズを露出させ、カメラを使用しない時は保護カバーをスライドしてレンズを覆うようにすることにより、カメラのレンズにほこり、汚れ、傷等が付かないようにし、また、落下等の衝撃に耐えられるようにした携帯電話装置が記載されている。
【０００６】
さらに、特開２００１−２３７９３６号公報には、穴の空いた回転式カバーにより、ビデオカメラ部とレシーバ部とを択一的に露出させるようにすることにより、カメラのレンズの保護と汚れを防止できるビデオカメラ付き携帯型情報通信端末装置が記載されている。
【０００７】
たしかに、これらの装置によると、エンドユーザの使用による埃や人脂の付着をある程度防止できる。
【０００８】
【発明が解決しようとする課題】
しかし、これらの装置によっても、保護カバーを装着する前の工程において、埃や人脂の付着することを防止することはできない。また、当然のことながら、保護カバーが装備されていないカメラを購入するユーザも存在する。
【０００９】
そこで、従来、レンズ穴に保護フィルム（保護シート）を設け、カメラの検査直前に保護フィルムを外すことが行われている。このようにすることにより、メーカーの責任の範囲を明確にすることもできる。
【００１０】
また、組立後の防塵性確保のためには、鏡筒にクッションを設けるとさらに効果的である。すなわち、鏡筒のクッションにより、保護フィルムを取り去った後に取り付けられる後述の透明なスクリーンとレンズとの間を密閉することにより、防塵と汚れを防止ができる。
【００１１】
さらに、鏡筒にクッションを設けると、クッション本来の機能として、落下衝撃等のカメラへの衝撃を緩和することももちろんできる。
【００１２】
然るに、上記公報記載の装置は、そのようなクッションを備えていない。
【００１３】
もっとも、保護フィルムやクッションの貼り付け作業に人の手を介すると、時間を要し、量産性に劣り、貼り付け精度が悪いという問題がある。
【００１４】
そこで、本発明は、作業の機械化により、短時間で、大量に、精度良くカメラの鏡筒に保護シートやクッションを貼り付け、レンズ穴に埃や人脂が付着することを防止でき、落下衝撃等のカメラへの衝撃を緩和することができるカメラ、携帯端末装置、治具、自動搭載装置、及び貼り付け方法を提供することを目的とする。
【００１５】
【課題を解決するための手段】
上記の目的を達成するために、請求項１記載の発明によれば、カメラは、レンズ穴が空けられた鏡筒を有することを特徴とするものである。
【００１６】
請求項２記載の発明によれば、カメラは、レンズ径より小さい径のレンズ穴を有することを特徴とするものである。
【００１７】
請求項３記載の発明によれば、カメラは、レンズ穴の周囲に中央に穴の空いたクッションをレンズ穴を塞がないように設けたことを特徴とする請求項１または２記載のカメラであることを特徴とするものである。
【００１８】
請求項４記載の発明によれば、カメラは、レンズ穴を塞ぐように設けられた保護シートを有する請求項１から３のいずれか１項記載のカメラであることを特徴とするものである。
【００１９】
請求項５記載の発明によれば、カメラは、クッションの穴を塞ぐように保護シートが設けられた請求項３または４記載のカメラであることを特徴とするものである。
【００２０】
請求項６記載の発明によれば、カメラは、クッションの穴を塞ぐように透明なスクリーンが設けられた請求項３から５のいずれか１項に記載のカメラであることを特徴とするものである。
【００２１】
請求項７記載の発明によれば、カメラは、保護シートが前記鏡筒のレンズ穴の周囲と構造上接触する請求項４から６のいずれか１項に記載のカメラであることを特徴とするものである。
【００２２】
請求項８記載の発明によれば、携帯端末装置は、請求項１から７のいずれか１項に記載のカメラを有することを特徴とするものである。
【００２３】
請求項９記載の発明によれば、治具は、請求項４から７のいずれか１項に記載のカメラの鏡筒にクッションおよび／または保護シートを装着することを特徴とする治具であって、クッションおよび／または保護シートをエア吸着するための吸着部と、クッションおよび／または保護シートを鏡筒に圧着するための押圧部とを有することを特徴とするものである。
【００２４】
請求項１０記載の発明によれば、治具は、クッションと同型の断面を有する押圧部を有する請求項９記載の治具であることを特徴とするものである。
【００２５】
請求項１１記載の発明によれば、治具は、クッションと対向する面の少なくとも一部に吸着穴を有する請求項９記載の吸着治具であることを特徴とするものである。
【００２６】
請求項１２記載の発明によれば、自動搭載装置は、請求項９から１１のいずれか１項に記載の治具を有することを特徴とするものである。
【００２７】
請求項１３記載の発明によれば、貼り付け方法は、請求項５から７のいずれか１項に記載の保護シートとクッションを同時に貼り付けることを特徴とするものである。
【００２８】
【発明の実施の形態】
添付図面を参照して、本発明によるカメラ、携帯端末装置、治具、自動搭載装置、及び貼り付け方法の実施の形態を以下詳細に説明する。
【００２９】
図１に、本発明によるカメラ、携帯端末装置、治具、自動搭載装置、及び貼り付け方法の一実施形態におけるクッションと、保護シートの断面図が示されている。
【００３０】
本図は、レンズ１と、鏡筒部２と、レンズ穴３と、クッション４と、保護フィルム（保護シート）５と、離型紙６とで構成される。
【００３１】
レンズ１は、レンズ穴３を有する鏡筒部２に包まれており、レンズ穴３の径は、レンズ１の径よりも小さい。
【００３２】
クッション４は、中央をくり貫いた抜いたドーナツ状の形状をしており、鏡筒部２のレンズ穴３の周囲との接着面に両面テープ（ニットー＃５０００等）が予め貼り付けられている。
【００３３】
クッション４の材料としては、有機化合物弾性体を用いる。その中でも特に高密度マイクロセルウレタンフォームが好ましい。高密度マイクロセルウレタンフォームは、高密度で非常に細密且つ均一なセル構造を特徴とする。
【００３４】
すなわち、高密度マイクロセルウレタンフォームは、ウレタンフォームの１種であるが、通常のウレタンフォームに比べてセル（気泡）が非常に細かく、しかも均一な分布構造を持ち、圧縮残留歪が小さいこと、エネルギー吸収性に優れること、安定した寸法精度を有すること、加工効率が優れること等の特徴を有する。
よって、高密度マイクロセルウレタンフォームのクッションは、作業の機械化に向いており、短時間で、大量に、精度良くカメラの鏡筒に貼り付けることができ、かつカメラへの落下衝撃等を緩和する効果も高い。
【００３５】
高密度マイクロセルウレタンフォームとして、例えば、本実施形態においては（株）イノアックコーポレーション製のＰＯＲＯＮ型番ＭＳ−４０（厚さ０．　９ｍｍ）またはＭＬ−３２（厚さ１．５ｍ、１．０ｍ）を用いている。
ＰＯＲＯＮの特徴としては、高衝撃吸収性、適度な弾性、薄さ、長持ち（圧縮永久歪しにくい）ということがあげられる。
【００３６】
もっとも、本発明によるクッションの材質は、高密度マイクロセルウレタンフォームに限定されるものではなく、有機化合物弾性体であれば足りる。
【００３７】
保護フィルム（保護シート）５は、クッション４の中央の穴を塞ぐようにクッショ４に貼り付けられる。保護フィルム（保護シート）５の材料としては、ポリイミドフィルム（ポリイミドテープ）を用いる。ポリイミドは耐熱性に優れているからである。ただし、これに限定されるものではない。もっとも、後述の自動搭載の場合、クッションがやわらかいと、保護シートがたわんでしまうため、保護シートは硬い材料のほうが好ましい。
【００３８】
クッション４に保護フィルム（保護シート）５が粘着された後に、クッション４に予め貼り付けられた前述の両面テープの離型紙６が剥がされ、クッション４は、レンズ穴３を塞がないように鏡筒部２に粘着される。ただし、接着に手段や貼り付けの順序はこれらに限定されない。
【００３９】
こうして装着された保護フィルム（保護シート）５により、レンズ１が塵や汚れから守られる。また、クッション４により、鏡筒部２に対する衝撃が緩和される。さらに、クッション４は、保護フィルム（保護シート）５が取り去られた後に、後述する透明なスクリーンとの間を密閉して防塵と汚れの防止の役目も果たす。
【００４０】
ところが、前述のとおり、クッション４と保護フィルム（保護シート）５を手作業で貼り付けようとすると、時間を要し、量産性に劣る。また、手作業だと貼り付け精度は期待できない。そこで、本発明は、自動搭載を行うことにより上記問題点の解決を図る。そして、かかる自動搭載を可能にするような治具を用いる。
【００４１】
図２には、本発明によるカメラ、携帯端末装置、治具、自動搭載装置、及び貼り付け方法の一実施形態における治具の断面図が示されている。
【００４２】
本図は、レンズ１と、鏡筒部２と、レンズ穴３と、クッション４と、保護フィルム（保護シート）５と、治具１０とで構成される。治具１０は、クッションと同型のドーナツ状の断面を有する押圧部１１と、中心の吸着部１２とを備えているバキューム吸着冶具である。
【００４３】
粘着面に一定の応力を加えることにより、クッション４と保護フィルム（保護シート）５を一体として鏡筒部３に装着する。粘着面に一定の応力を加えるためには、図のような吸着冶具１０が好ましい。押圧部１１を介して、クッション４が効率的に加圧されるからである。
【００４４】
吸着治具１０は、実際には、後に図６で説明する自動搭載機に取り付けられ、エアーによりバキューム吸着できるようになる。
なお、自動搭載に必要な吸着エリアは、部品中央あるいは部品重心点である。また、前述したとおり、クッションがやわらかい場合は保護シートがたわんでしまうため、保護シートは硬い材料のほうが好ましい。
【００４５】
図３には、本発明によるカメラ、携帯端末装置、治具、自動搭載装置、及び貼り付け方法の他の実施形態における治具の断面図が示されている。
【００４６】
本図の構成は、基本的には図２と同様であるが、治具の形状、構造が図２におけるのと異なる。
【００４７】
治具２０は、クッション４と向かい合う面に吸着部（吸着穴）２２を有するバキューム吸着治具である。吸着部（吸着穴）２２は、クッション４と対向する面の少なくとも一部にあれば足りる。
押圧部２１が、中央部にも設けられることにより、前述したクッションがやわらかい場合の保護シートのたわみを抑制できるので、比較的柔らかい材料の保護シートにも対応できる。
なお、本発明による治具の形状や構造等は図２と図３に限定されるものではない。
【００４８】
図４には、本発明によるカメラ、携帯端末装置、治具、自動搭載装置、及び貼り付け方法の他の実施形態におけるクッションと保護シートの断面図が示されている。
【００４９】
本図の構成は、基本的には図１と同様であるが、保護フィルム（保護シート）７の形状が図１におけるものと異なる。
【００５０】
クッションは中央を抜いたドーナツ状をしているので、そのままでは自動搭載がしづらい。そこで、図４のようにドーナツ型のクッションの中央部を保護フィルムとして用い、保護シートと一体化したクッションを自動搭載する。
【００５１】
このような保護フィルム（保護シート）７によると、保護シートの接触面積が増えるので、保護シートの接着力が増し、剥がれにくい保護シートを提供できる。また、保護シートとクッションが一体化し、しかも円柱形となるので、ハンドルしやすくなり、工程の簡素化が可能となる。
【００５２】
図５には、本発明によるカメラ、携帯端末装置、治具、自動搭載装置、及び貼り付け方法の一実施形態におけるスクリーンの断面図が示されている。
【００５３】
本図は、レンズ１と、鏡筒部２と、レンズ穴３と、クッション４と、スクリーン８とで構成される。
【００５４】
クッション４の中央の穴を塞ぐようにして、スクリーン８が装着される。このスクリーン８は、アクリル製の透明な平板であり、ゴミや水分の侵入を阻止するために設けられる。
【００５５】
そして、クッション４は、保護フィルム（保護シート）５が取り去られた後に装着されたスクリーン８と鏡筒部２との間を密閉するので、防塵と汚れ防止の役目を果たす。
【００５６】
図６には、本発明によるカメラ、携帯端末装置、治具、自動搭載装置、及び貼り付け方法の一実施形態における自動搭載機の説明図が示されている。
【００５７】
本図は、クッション４と、保護フィルム（保護シート）５と、離型紙６と、治具２０と、三軸自動搭載機３０とで構成される。
【００５８】
クッション４と、保護フィルム（保護シート）５と、離型紙６がそれぞれ貼着されて一体となったものがコンベア上に複数並べられて順次運ばれて来る。次いで、治具２０が、三軸自動搭載機３０により、位置合わせが行われた後に下降し、クッション４に張り付いた保護フィルム（保護シート）５と接触し、これにエア吸着する。そして、三軸自動搭載機３０により治具２０が上昇すると、離型紙６がクッション４から剥離される。
【００５９】
その後、三軸自動搭載機３０により、治具２０が、他のコンベア上に複数並べられて順次運ばれて来るカメラの鏡筒２の上に移動し、位置合わせが行われた後に、図３に示したように下降し、クッション４と保護フィルム（保護シート）５が前述の両面テープにより鏡筒２に装着される。
以後、同様にして他のクッション等と鏡筒がコンベアにより順次運ばれて同じ作業が繰り返される。
なお、図示しない自動搭載装置本体（駆動手段・制御手段）については、既存の自動部品搭載装置と同様なものを予定しているが、特に限定はされない。
【００６０】
以上のようにして、クッション４と、保護フィルム（保護シート）５が装着された鏡筒２を有するカメラを製造し、携帯電話、ＰＨＳ、ＰＤＡ、ノート型パソコン等の携帯端末装置に搭載する。
なお、携帯電話、ＰＨＳ、ＰＤＡ、ノート型パソコン等の本体については、既存のものを用いる。
【００６１】
【発明の効果】
請求項１から８記載の発明によれば、鏡筒によりレンズが外部と接触しづらくなるので、レンズに埃や人脂が付着することを防止できる。
【００６２】
請求項３、５から８記載の発明によれば、クッションにより、振動や衝撃が緩和されるので、カメラの傷や故障を防ぐことができる。また、スクリーン以外からの迷光を遮光することもできる。さらに、カメラのレンズ等の防塵と汚れの防止もできる。
【００６３】
請求項４から８記載の発明によれば、保護シートにより、カメラのレンズ等の防塵と汚れの防止ができる。また、保護シートを設けることで、レンズなどの汚れに対する責任の分岐点を明確にできる。
【００６４】
請求項５から８記載の発明によれば、保護シートとクッションを同時に貼り付けることが可能となるので、貼り付け作業時間を短縮することができる。また、貼り付け作業に要する治具ないし貼り付け装置が一種類ですみ、設備費用等を少なくできる。
【００６５】
請求項７、８記載の発明によれば、保護シートの接触面積を増やすことできるので、接着剤を用いなくとも剥がれにくい保護シートを提供することができる。
【００６６】
請求項９から１１記載の発明によれば、吸着部と押圧部により、保護シートとクッションをカメラの鏡筒に自動搭載することが可能となる。
【００６７】
請求項１０、１１記載の発明によれば、力を効率良くクッションに伝えることができるので、剥がれにくい保護シートとクッションをカメラに自動搭載することができる。
【００６８】
請求項１１記載の発明によれば、柔らかい材料の保護シートの自動搭載が可能となるので、保護シートの材質や厚みのオプションを増やすことができ、保護シートのコストダウンが図れる。
【００６９】
請求項１２記載の発明によれば、自動搭載装置により、保護シートとクッションをカメラの鏡筒に短時間で、大量に、精度良く貼り付けることが可能となる。
【００７０】
請求項１３記載の発明によれば、保護シートとクッションの貼り付け作業時間を短縮することができる。
【図面の簡単な説明】
【図１】本発明によるカメラ、携帯端末装置、治具、自動搭載装置、及び貼り付け方法の一実施形態におけるクッションと保護シートの説明図である。
【図２】本発明によるカメラ、携帯端末装置、治具、自動搭載装置、及び貼り付け方法の一実施形態における治具の説明図である。
【図３】本発明によるカメラ、携帯端末装置、治具、自動搭載装置、及び貼り付け方法の他の実施形態における治具の説明図である。
【図４】本発明によるカメラ、携帯端末装置、治具、自動搭載装置、及び貼り付け方法の他の実施形態におけるクッションと保護シートの説明図である。
【図５】本発明によるカメラ、携帯端末装置、治具、自動搭載装置、及び貼り付け方法の一実施形態におけるクッションとスクリーンの説明図である。
【図６】本発明によるカメラ、携帯端末装置、治具、自動搭載装置、及び貼り付け方法の一実施形態における自動搭載機の説明図である。
【符号の説明】
１　レンズ
２　鏡筒部
３　レンズ穴
４　クッション
５、７　保護フィルム（保護シート）
６　離型紙
８　　スクリーン
１０、２０　治具（吸着治具）
１１、２１　押圧部
１２、２２　吸着部（吸着穴）
３０　三軸自動搭載機
【図１】
2004020654.tif 000003
【図２】
2004020654.tif 000004
【図３】
2004020654.tif 000005
【図４】
2004020654.tif 000006
【図５】
2004020654.tif 000007
【図６】
2004020654.tif 000008